(57)【要約】  本発明は、中敷き、靴または靴底を製造するための方法、装置およびシステムに関する。足の形状および寸法に関する足情報が測定され、ピンマトリクスが少なくとも部分的に足情報に基づいて形成される。中敷きまたは靴底プレフォームが中敷きプレフォームを成形するためにピンマトリクス上に配置され、ピンマトリクスを用いて、足情報に基づくプレフォームから、中敷きまたは靴底が形成される。少なくとも部分的に足情報に基づくポジティブおよびネガティブピンマトリクスが形成され、ネガティブピンマトリクスはポジティブピンマトリクスに実質的に対応する。
2013509927.tif 000002
【特許請求の範囲】
【請求項１】
装置において中敷きを製造するための方法であって、
足の形状および寸法に関する足情報を測定し、
前記足情報に基づいて中敷きプレフォームから中敷きを形成することを含む方法において、
少なくとも部分的に前記足情報に基づいて、少なくとも１つの、少なくとも部分的なピンマトリクスを形成し、
中敷きプレフォームを成形するために、前記少なくとも１つの、少なくとも部分的なピンマトリクス上に、中敷きプレフォームを位置付けることをさらに含むことを特徴とする方法。
【請求項２】
少なくとも部分的に前記足情報に基づいて、少なくとも１つの、少なくとも部分的なポジティブピンマトリクスを形成することをさらに含むことを特徴とする、請求項１に記載の方法。
【請求項３】
少なくとも部分的に前記足情報に基づいて、少なくとも１つの、少なくとも部分的なネガティブピンマトリクスを形成することをさらに含み、該少なくとも１つの、少なくとも部分的なネガティブピンマトリクスは前記少なくとも１つの、少なくとも部分的なポジティブピンマトリクスに実質的に対応することを特徴とする、請求項２に記載の方法。
【請求項４】
中敷きプレフォームを成形するために、中敷きプレフォームを、前記少なくとも１つの、少なくとも部分的なポジティブピンマトリクスと前記少なくとも１つの、少なくとも部分的なネガティブピンマトリクスとの間に位置付けることをさらに含むことを特徴とする、請求項３に記載の方法。
【請求項５】
前記足情報を足情報のデータベースを電子的に記憶し、
中敷きを成形するために、前記足情報を、前記足情報のデータベースから電子的に検索することをさらに含むことを特徴とする、請求項１〜４のいずれか１項に記載の方法。
【請求項６】
前記足情報を走査システムを用いて測定することを特徴とする、請求項１〜５のいずれか１項に記載の方法。
【請求項７】
前記少なくとも１つの、少なくとも部分的なピンマトリクスのピン上を転がるローラヘッドを有するロボットを用いて、前記少なくとも１つの、少なくとも部分的なピンマトリクスを形成することをさらに含むことを特徴とする、請求項１〜６のいずれか１項に記載の方法。
【請求項８】
中敷きプレフォームに形をつけるように構成される第１のピンマトリクスを含むことを特徴とする中敷きを製造するための装置。
【請求項９】
前記第１のピンマトリクスに実質的に対応する第２のピンマトリクスをさらに含み、該第２のピンマトリクスは中敷きプレフォームに形をつけるように構成され、
前記第１のピンマトリクスと前記第２のピンマトリクスとの間で中敷きを押圧することによって、中敷きプレフォームに形をつけるように構成されることを特徴とする、請求項８に記載の装置。
【請求項１０】
足の形状に関する情報を形成または受信するためのモジュールと、前記足の形状に関する情報に従って、前記第１のピンマトリクスおよび第２のピンマトリクスの少なくとも一方を、前記第１のピンマトリクスおよび第２のピンマトリクスの少なくとも一方のピンを動かすことによって前記中敷きプレフォームに形をつけるように構成するためのモジュールとをさらに含むことを特徴とする、請求項９に記載の装置。
【請求項１１】
少なくとも前記第１のピンマトリクスは、前記ピンマトリクスのピンを動かして該ピンを適切な位置に固定することによって、前記足の形状に関する情報に従う形状を形成するように構成されることを特徴とする、請求項１０に記載の装置。
【請求項１２】
前記第２のピンマトリクスは、前記第２のピンマトリクスが前記第１のピンマトリクスに対して押圧されているとき、前記第１のピンマトリクスの形状に適応するように構成されることを特徴とする、請求項１１に記載の装置。
【請求項１３】
前記第１のピンマトリクスおよび第２のピンマトリクスの一方はポジティブピンマトリクスであり、前記第１のピンマトリクスおよび第２のピンマトリクスの他方はネガティブピンマトリクスであることを特徴とする、請求項９〜１２のいずれか１項に記載の装置。
【請求項１４】
足の形状に関する情報を記憶するメモリと、前記メモリ内の前記足の形状に関する情報に従って前記第１のピンマトリクスを適合させるための処理装置とをさらに含むことを特徴とする、請求項８〜１３のいずれか１項に記載の装置。
【請求項１５】
該装置に、前記足の形状に関する情報が中敷きプレフォームに形をつけるために検索可能であるデータベースに、足の形状に関する情報を記憶させるコンピュータプログラムコードをさらに含むことを特徴とする、請求項１４に記載の装置。
【請求項１６】
足の形状に関する情報を測定するためのスキャナをさらに含むことを特徴とする、請求項８〜１５のいずれか１項に記載の装置。
【請求項１７】
処理装置と、コンピュータプログラムコードを含むメモリとを含むシステムであって、前記メモリおよび前記コンピュータプログラムコードは、前記処理装置によって、該システムに、少なくとも、
足の形状および寸法に関する足情報を測定させ、
前記足情報に基づいて、中敷きプレフォームから中敷きを形成させ、
少なくとも部分的に前記足情報に基づいて、少なくとも１つの、少なくとも部分的なピンマトリクスを形成させ、
中敷きプレフォームを成形するために、前記少なくとも１つの、少なくとも部分的なピンマトリクス上に中敷きプレフォームを位置づけさせるように構成されることを特徴とするシステム。
【請求項１８】
前記処理装置によって、該システムに、少なくとも、
少なくとも部分的に前記足情報に基づいて、少なくとも１つの、少なくとも部分的なポジティブピンマトリクスを形成させるコンピュータプログラムコードをさらに含むことを特徴とする、請求項１７に記載のシステム。
【請求項１９】
前記処理装置によって、該システムに、少なくとも、
少なくとも部分的に前記足情報に基づいて、少なくとも１つの、少なくとも部分的なネガティブピンマトリクスを形成させるコンピュータプログラムコードをさらに含み、
前記少なくとも１つの、少なくとも部分的なネガティブピンマトリクスは、前記少なくとも１つの、少なくとも部分的なポジティブピンマトリクスに実質的に対応することを特徴とする、請求項１８に記載のシステム。
【請求項２０】
前記処理装置によって、該システムに、少なくとも、
中敷きプレフォームを成形するために、前記少なくとも１つの、少なくとも部分的なポジティブピンマトリクスと前記少なくとも１つの、少なくとも部分的なネガティブピンマトリクスとの間に中敷きプレフォームを位置づけさせるコンピュータプログラムコードをさらに含むことを特徴とする、請求項１９に記載のシステム。
【請求項２１】
前記処理装置によって、該システムに、少なくとも、
前記足情報を、足情報のデータベースに電子的に記憶させ、
前記中敷きを成形するために、足情報のデータベースから前記足情報を電子的に検索させるコンピュータプログラムコードをさらに含むことを特徴とする、請求項１７〜２０のいずれか１項に記載のシステム。
【請求項２２】
前記処理装置によって、該システムに、少なくとも、
走査システムを用いて前記足情報を測定させるコンピュータプログラムコードをさらに含むことを特徴とする、請求項１７〜２１のいずれか１項に記載のシステム。
【請求項２３】
前記処理装置によって、該システムに、少なくとも、
前記少なくとも１つの、少なくとも部分的なピンマトリクスのピン上を転がるローラヘッドを有するロボットを用いて、前記少なくとも１つの、少なくとも部分的なピンマトリクスを形成させるコンピュータプログラムコードをさらに含むことを特徴とする、請求項１７〜２２のいずれか１項に記載のシステム。
【請求項２４】
請求項１〜７のいずれか１項に記載の方法によって製造された中敷き。
【請求項２５】
請求項１〜７のいずれか１項に記載の方法によって製造された中敷きを含む靴。
【請求項２６】
装置で靴または靴底を製造するための方法であって、
足の形状および寸法に関する足情報を測定し、
前記足情報に基づいて靴底プレフォームから靴または靴底を形成することを含む方法において、
少なくとも部分的に前記足情報に基づいて、少なくとも１つの、少なくとも部分的なピンマトリクスを形成し、
靴底プレフォームを成形するために、前記少なくとも１つの、少なくとも部分的なピンマトリクス上に、靴底プレフォームを位置付けることをさらに含むことを特徴とする方法。
【請求項２７】
少なくとも部分的に前記足情報に基づいて、少なくとも１つの、少なくとも部分的なポジティブピンマトリクスを形成することをさらに含むことを特徴とする、請求項２６に記載の方法。
【請求項２８】
少なくとも部分的に前記足情報に基づいて、少なくとも１つの、少なくとも部分的なネガティブピンマトリクスを形成することをさらに含み、該少なくとも１つの、少なくとも部分的なネガティブピンマトリクスは前記少なくとも１つの、少なくとも部分的なポジティブピンマトリクスに実質的に対応することを特徴とする、請求項２７に記載の方法。
【請求項２９】
靴底プレフォームを成形するために、靴底プレフォームを、前記少なくとも１つの、少なくとも部分的なポジティブピンマトリクスと前記少なくとも１つの、少なくとも部分的なネガティブピンマトリクスとの間に位置付けることをさらに含むことを特徴とする、請求項２８に記載の方法。
【請求項３０】
前記足情報を足情報のデータベースを電子的に記憶し、
靴底を成形するために、前記足情報を、前記足情報のデータベースから電子的に検索することをさらに含むことを特徴とする、請求項２６〜２９のいずれか１項に記載の方法。
【請求項３１】
前記足情報を走査システムを用いて測定することを特徴とする、請求項２６〜３０のいずれか１項に記載の方法。
【請求項３２】
前記少なくとも１つの、少なくとも部分的なピンマトリクスのピン上を転がるローラヘッドを有するロボットを用いて、前記少なくとも１つの、少なくとも部分的なピンマトリクスを形成することをさらに含むことを特徴とする、請求項２６〜３１のいずれか１項に記載の方法。
【請求項３３】
靴底プレフォームに形をつけるように構成される第１のピンマトリクスを含むことを特徴とする中敷きを製造するための装置。
【請求項３４】
前記第１のピンマトリクスに実質的に対応する第２のピンマトリクスをさらに含み、該第２のピンマトリクスは靴底プレフォームに形をつけるように構成され、
前記第１のピンマトリクスと前記第２のピンマトリクスとの間で靴底を押圧することによって、靴底プレフォームに形をつけるように構成されることを特徴とする、請求項３３に記載の装置。
【請求項３５】
足の形状に関する情報を形成または受信するためのモジュールと、前記足の形状に関する情報に従って、前記第１のピンマトリクスおよび第２のピンマトリクスの少なくとも一方を、前記第１のピンマトリクスおよび第２のピンマトリクスの少なくとも一方のピンを動かすことによって前記靴底プレフォームに形をつけるように構成するためのモジュールとをさらに含むことを特徴とする、請求項３４に記載の装置。
【請求項３６】
少なくとも前記第１のピンマトリクスは、前記ピンマトリクスのピンを動かして該ピンを適切な位置に固定することによって、前記足の形状に関する情報に従う形状を形成するように構成されることを特徴とする、請求項２５に記載の装置。
【請求項３７】
前記第２のピンマトリクスは、前記第２のピンマトリクスが前記第１のピンマトリクスに対して押圧されているとき、前記第１のピンマトリクスの形状に適応するように構成されることを特徴とする、請求項３６に記載の装置。
【請求項３８】
前記第１のピンマトリクスおよび第２のピンマトリクスの一方はポジティブピンマトリクスであり、前記第１のピンマトリクスおよび第２のピンマトリクスの他方はネガティブピンマトリクスであることを特徴とする、請求項３４〜３７のいずれか１項に記載の装置。
【請求項３９】
足の形状に関する情報を記憶するメモリと、前記メモリ内の前記足の形状に関する情報に従って前記第１のピンマトリクスを適合させるための処理装置とをさらに含むことを特徴とする、請求項３３〜３８のいずれか１項に記載の装置。
【請求項４０】
該装置に、前記足の形状に関する情報が靴底プレフォームに形をつけるために検索可能であるデータベースに、足の形状に関する情報を記憶させるコンピュータプログラムコードをさらに含むことを特徴とする、請求項３９に記載の装置。
【請求項４１】
足の形状に関する情報を測定するためのスキャナをさらに含むことを特徴とする、請求項３３〜４０のいずれか１項に記載の装置。
【請求項４２】
処理装置と、コンピュータプログラムコードを含むメモリとを含むシステムであって、前記メモリおよび前記コンピュータプログラムコードは、前記処理装置によって、該システムに、少なくとも、
足の形状および寸法に関する足情報を測定させ、
前記足情報に基づいて、靴底プレフォームから靴底を形成させ、
少なくとも部分的に前記足情報に基づいて、少なくとも１つの、少なくとも部分的なピンマトリクスを形成させ、
靴底プレフォームを成形するために、前記少なくとも１つの、少なくとも部分的なピンマトリクス上に靴底プレフォームを位置づけさせるように構成されることを特徴とするシステム。
【請求項４３】
前記処理装置によって、該システムに、少なくとも、
少なくとも部分的に前記足情報に基づいて、少なくとも１つの、少なくとも部分的なポジティブピンマトリクスを形成させるコンピュータプログラムコードをさらに含むことを特徴とする、請求項４２に記載のシステム。
【請求項４４】
前記処理装置によって、該システムに、少なくとも、
少なくとも部分的に前記足情報に基づいて、少なくとも１つの、少なくとも部分的なネガティブピンマトリクスを形成させるコンピュータプログラムコードをさらに含み、
前記少なくとも１つの、少なくとも部分的なネガティブピンマトリクスは、前記少なくとも１つの、少なくとも部分的なポジティブピンマトリクスに実質的に対応することを特徴とする、請求項４３に記載のシステム。
【請求項４５】
前記処理装置によって、該システムに、少なくとも、
靴底プレフォームを成形するために、前記少なくとも１つの、少なくとも部分的なポジティブピンマトリクスと前記少なくとも１つの、少なくとも部分的なネガティブピンマトリクスとの間に靴底プレフォームを位置づけさせるコンピュータプログラムコードをさらに含むことを特徴とする、請求項４４に記載のシステム。
【請求項４６】
前記処理装置によって、該システムに、少なくとも、
前記足情報を、足情報のデータベースに電子的に記憶させ、
前記靴底を成形するために、足情報のデータベースから前記足情報を電子的に検索させるコンピュータプログラムコードをさらに含むことを特徴とする、請求項４２〜４５のいずれか１項に記載のシステム。
【請求項４７】
前記処理装置によって、該システムに、少なくとも、
走査システムを用いて前記足情報を測定させるコンピュータプログラムコードをさらに含むことを特徴とする、請求項４２〜４６のいずれか１項に記載のシステム。
【請求項４８】
前記処理装置によって、該システムに、少なくとも、
前記少なくとも１つの、少なくとも部分的なピンマトリクスのピン上を転がるローラヘッドを有するロボットを用いて、前記少なくとも１つの、少なくとも部分的なピンマトリクスを形成させるコンピュータプログラムコードをさらに含むことを特徴とする、請求項４２〜４７のいずれか１項に記載のシステム。
【請求項４９】
請求項２６〜３２のいずれか１項に記載の方法を用いて製造された靴。
【発明の詳細な説明】
【技術分野】
【０００１】
本発明は、中敷き、特に熱成形可能な履物用特注中敷きを製造するための方法に関し、履物、たとえば靴または靴底を製造することに関する。また、本発明は、特注中敷きおよび靴を製造するシステム、ならびに本発明に従って製造された特注中敷き、靴底および靴に関する。さらに、本発明は、対応する履物、および靴などの履物を製造するための方法に関する。
【背景技術】
【０００２】
世界中の人々は多くが、ある種の足の問題に悩まされている。足の動き／歩き方の問題は、足底、足首、膝、臀部、背部などに反映し、そのため、その処置および予防が特に全人類の幸せにとって有益なものとなる。人は毎日１５０００〜１６０００歩歩いている。スポーツにおける足への負荷は、体重の数倍である。たとえば、地面への力は、ランニング中では自身の体重の約３倍であり、バスケットボール中では、跳躍や他の不規則な動きのために、自身の体重の約７．５倍である。足の位置が正しければ、負荷は均一に上部関節間に分かれる。
【０００３】
回内と呼ばれる一般的な状態は、足（特に、踵および足弓）の内側（すなわちmedial）回転を意味し、足が回転し過ぎたときに過回内になる。一方、過回外は、小さ過ぎる内側回転によって引き起こされる。両方の状態は、足や様々な体の関節において、痛みや摩耗、そしてストレス損傷さえ容易に引き起こす。
【０００４】
異なる（足弓）支持中敷きが、足の位置を矯正するために利用可能である。これは、内側および外側縦足弓を支持するように設計されるが、別途接着されたウェッジなしで、実際には足の位置を矯正しない。ウェッジングは、時間のかかる高価なプロセスである。得られる結果は、作業をしている人に依存し、むしろ不正確になりがちである。他の欠点として、ウェッジを足底に接着した後、最初にウェッジを除去することなく新たな型を取ることができない。
【０００５】
一般的に、中敷きにおける既製の支持体は、人々が同一の足形状を一般的に有していないので、誰の足にも完全に一致しない。したがって、多くの支持中敷きは、最終的には、ひどい適合のために不便であるとみなされる。足の問題に悩まされている一部の人々だけが問題の少なくとも一部を緩和する中敷きを購入する機会があった。伝統的に、特注の靴および中敷きが、専門の靴屋、理学療法士または足治療医によって製造されてきた。
【０００６】
今までのところ、関連する購入プロセスは、むしろ時間がかかり、費用がかかった。足を測定し中敷きを製造することは、高価で特殊な装置を必要とし、製造を行うことができる速度は、まだ限られている。当然ながら、この状況は特注の中敷きの費用をも上昇させ、足の問題に悩まされている人々にとって手頃なものにしない。
【０００７】
したがって、中敷きを注文し製造するプロセス全体を改善する解決手段とともに、中敷きの製造技術の改良に関する必要性がある。
【発明の概要】
【０００８】
改良された方法および該方法を実施する技術的装置が発明され、これによって上記問題が緩和される。本発明の様々な態様は、方法、装置、システムおよび中敷きを含み、これらは従属請求項で述べられたものによって特徴付けられる。本発明の様々な実施形態は、従属請求項で開示される。
【０００９】
第１の態様に従えば、装置で中敷きまたは靴底もしくは靴を製造するための方法であって、足の形状および寸法に関する足情報を測定し、少なくとも部分的に前記足情報に基づいて、少なくとも１つの、少なくとも部分的なピンマトリクスを形成し、中敷きまたは靴底プレフォームを成形するために前記少なくとも１つの、少なくとも部分的なピンマトリクス上に、中敷きまたは靴底プレフォームを位置付け、前記足情報に基づいて、中敷きまたは靴底プレフォームから中敷きまたは靴底を形成することを含む、方法が提供される。例示の実施形態に従えば、該方法は、少なくとも部分的に前記足情報に基づいて、少なくとも１つの、少なくとも部分的なポジティブピンマトリクスを形成することを含む。例示の実施形態に従えば、該方法は、少なくとも部分的に前記足情報に基づいて、少なくとも１つの、少なくとも部分的なネガティブピンマトリクスを形成することを含み、前記少なくとも１つの、少なくとも部分的なネガティブピンマトリクスは、前記少なくとも１つの、少なくとも部分的なポジティブピンマトリクスに実質的に対応する。例示の実施形態に従えば、該方法は、前記少なくとも１つの、少なくとも部分的なポジティブピンマトリクスと前記少なくとも１つの、少なくとも部分的なネガティブピンマトリクスとの間に中敷きプレフォームを位置付けて、中敷きまたは靴底プレフォームを成形することを含む。例示の実施形態に従えば、該方法は、前記足情報を、足情報のデータベースに、コンピュータにおいて電子的に記憶し、前記中敷きまたは靴底を成形するするために、足情報のデータベースからコンピュータにおいて足の形状および寸法に関する情報を電子的に検索することを含む。例示の実施形態に従えば、該方法は、走査システムを用いて前記足情報を測定することを含む。例示の実施形態に従えば、該方法は、たとえば、前記少なくとも１つの、少なくとも部分的なピンマトリクスのピン上を転がるローラヘッドを有するロボットを用いて、前記少なくとも１つの、少なくとも部分的なピンマトリクスを形成することを含む。
【００１０】
第２の態様に従えば、中敷きまたは靴底を製造するための装置であって、中敷きまたは靴底プレフォームに形をつけるように構成される第１のピンマトリクスを含む装置が提供される。例示の実施形態に従えば、該装置は、前記第１のピンマトリクスに実質的に対応する第２のピンマトリクスを含み、該第２のピンマトリクスは前記中敷きまたは靴底プレフォームに形をつけるように構成され、該装置は、前記第１のピンマトリクスと前記第２のピンマトリクスとの間で前記中敷きまたは靴底を押圧することによって、前記中敷きまたは靴底に形をつけるように構成される。例示の実施形態に従えば、該装置は、足の形状に関する情報を形成または受信するためのモジュールと、前記足の形状に関する情報に従って、前記第１のピンマトリクスおよび第２のピンマトリクスの少なくとも一方を、前記第１のピンマトリクスおよび第２のピンマトリクスの少なくとも一方のピンを動かすことによって前記中敷きプレフォームに形をつけるように構成するためのモジュールとを含む。例示の実施形態に従えば、少なくとも前記第１のピンマトリクスは、前記ピンマトリクスのピンを動かして該ピンを適切な位置に固定することによって足の形状に関する情報に従う形状を形成するように構成される。例示の実施形態に従えば、前記第２のピンマトリクスは、前記第２のピンマトリクスが前記第１のピンマトリクスに対して押圧されているとき、前記第１のピンマトリクスの形状に適応するように構成される。例示の実施形態に従えば、前記第１のピンマトリクスおよび第２のピンマトリクスの一方はポジティブピンマトリクスであり、前記第１のピンマトリクスおよび第２のピンマトリクスの他方はネガティブピンマトリクスである。例示の実施形態に従えば、該装置は、足の形状に関する情報を記憶するメモリと、前記メモリ内の前記足の形状に関する情報に従って前記第１のピンマトリクスを適合させるための処理装置とを含む。例示の実施形態に従えば、該装置は、該装置に、足の形状に関する情報が中敷きまたは靴底プレフォームに形をつけるために検索可能であるデータベースに、足の形状に関する情報を記憶させるコンピュータプログラムコードを含む。例示の実施形態に従えば、該装置は、足の形状に関する情報を測定するためのスキャナを含む。
【００１１】
第３の態様に従えば、処理装置と、コンピュータプログラムコードを含むメモリとを含むシステムであって、前記メモリおよび前記コンピュータプログラムコードは、前記処理装置によって、該システムに、少なくとも、足の形状および寸法に関する足情報を測定させ、前記足情報に基づいて、中敷きまたは靴底プレフォームから中敷きまたは靴底を形成させ、少なくとも部分的に前記足情報に基づいて、少なくとも１つの、少なくとも部分的なピンマトリクスを形成させ、中敷きまたは靴底プレフォームを成形するために前記少なくとも１つの、少なくとも部分的なピンマトリクス上に中敷きまたは靴底プレフォームを位置づけさせるように構成される、システムが提供される。例示の実施形態に従えば、該システムは、前記処理装置によって、該システムに、少なくとも部分的に前記足情報に基づいて、少なくとも１つの、少なくとも部分的なポジティブピンマトリクスを形成させるコンピュータプログラムコードを少なくとも含む。例示の実施形態によれば、該システムは、前記処理装置によって、該システムに、少なくとも部分的に前記足情報に基づいて、少なくとも１つの、少なくとも部分的なネガティブピンマトリクスを形成させるコンピュータプログラムコードを少なくとも含み、前記少なくとも１つの、少なくとも部分的なネガティブピンマトリクスは、前記少なくとも１つの、少なくとも部分的なポジティブピンマトリクスに実質的に対応する。例示の実施形態に従えば、該システムは、前記処理装置によって、該システムに、中敷きまたは靴底プレフォームを成形するために、前記少なくとも１つの、少なくとも部分的なポジティブピンマトリクスと前記少なくとも１つの、少なくとも部分的なネガティブピンマトリクスとの間に中敷きまたは靴底プレフォームを位置づけさせるコンピュータプログラムコードを含む。例示の実施形態に従えば、該システムは、前記処理装置によって、該システムに、少なくとも、前記足情報を、足情報のデータベースに、コンピュータにおいて電子的に記憶させ、前記中敷きまたは靴底を成形するために、足情報のデータベースからコンピュータにおいて足の形状および寸法に関する情報を電子的に検索させるコンピュータプログラムコードを含む。例示の実施形態に従えば、該システムは、前記処理装置によって、該システムに、少なくとも、走査システムを用いて前記足情報を測定させるコンピュータプログラムコードを含む。例示の実施形態に従えば、該システムは、前記処理装置によって、該システムに、少なくとも、たとえば、前記少なくとも１つの、少なくとも部分的なピンマトリクスのピン上を転がるローラヘッドを有するロボットを用いて、前記少なくとも１つの、少なくとも部分的なピンマトリクスを形成させるコンピュータプログラムコードを含む。
【００１２】
第４の態様に従えば、本発明の第１の態様に従う方法を用いて製造された中敷きおよび靴底が提供される。第５の態様に従えば、本発明の第１の態様に従う方法によって製造された中敷きを含む靴が提供される。本発明に従って製造された中敷き、靴底または靴は、本発明に従う方法による製造サインを表示してもよく、たとえばピンマトリクスからのピンの圧痕を、中敷きまたは靴底の片面、両面または内側層に示してもよい。中敷きまたは靴底は、本発明に従う方法の加熱または冷却特性によって特に形成されてもよい。このような製造サインは、意図的に作成されてもよく、意図せずに自然に製造プロセスにおいて形成されてもよい。
【００１３】
以下、本発明の様々な実施形態が添付の図面を参照してより詳細に説明される。
【図面の簡単な説明】
【００１４】
【図１ａ】本発明の実施形態に従う、足の形状を読取るための光学的手段を備える足走査装置を示す。
【図１ｂ】本発明の実施形態に従う、足の形状を読取るための機械的手段を備える足走査装置を示す。
【図２ａ】本発明の実施形態に従う、足の形状を読取るための光学的手段を備える足走査装置の動作原理を示す。
【図２ｂ】本発明の実施形態に従う、足の形状を読取るための光学的手段を備える足走査装置の動作原理を示す。
【図３】本発明の実施形態に従う、加熱された中敷きまたは靴底を形成するためのピンマトリクス装置を示す。
【図４ａ】本発明の実施形態に従う、加熱された中敷きまたは靴底を形成するための二重ピンマトリクス装置を示す。
【図４ｂ】本発明の実施形態に従う、加熱された中敷きまたは靴底を形成するための二重ピンマトリクス装置を示す。
【図４ｃ】本発明の実施形態に従う、加熱された中敷きまたは靴底を形成するための二重ピンマトリクス装置を示す。
【図５】本発明の実施形態に従う中敷き製造装置のブロック図を示す。
【図６】本発明の実施形態に従う中敷きまたは靴底製造方法のフローチャートを示す。
【図７】本発明の実施形態に従う中敷きまたは靴底製造方法のフローチャートを示す。
【図８】本発明の実施形態に従って製造された中敷きまたは靴底を示す。
【図９】既製の中敷きまたは靴底における良好な支持を達成するために足を自然な位置で走査するための装置および配置を示す。
【発明を実施するための形態】
【００１５】
以下、本発明の実施形態を中敷きを製造するシステムとの関係おいて説明する。なお、しかしながら、本発明は、このようなシステムだけに限定されない。実際には、別の実施形態が、プレフォームからの特注製造が使用される環境に適用される。特に、靴の製造は、中敷きの製造と同様にして行われてもよい。また、別の種類の足支持履物が本発明の実施形態に従って製造されてもよく、本発明に従って作成された中敷きと同様の特性を有していてもよい。この考えにおいて、靴は、履かれるように意図される、ある種の履物または装置であるように理解され得る。
【００１６】
図１ａは、本発明の実施形態に従う、足の形状を読取るための光学的手段を備える足走査装置を示す。足走査装置は、たとえばポドスコープ１２０と、カメラシステム１３０と、コンピュータ（図示せず）とを含んでよい。ポドスコープとは、足と支持表面との相互作用を分析する装置と定義される。人がポドスコープの透明ガラス上に立つと、その人の足の画像がミラーを介して、手動操作で測定をする人に示され得る。足走査装置、たとえば上述のポドスコープはまた、光学スキャナ１２２、カメラ１３０、または光学的および／または電気的に人の足およびその位置（ならびに位置誤差）を撮像するための他の適切な装置などのデータ取得手段を含んでよい。人の足の撮像は、ガラス板の下方のスキャナ１２２またはカメラを用いて下部から行われてもよい。撮像は、上部からカメラ１３０を用いてなされてもよく、足底がミラーを用いて撮像されてもよい。この撮像から、足の寸法および形状が測定されてもよい。必要に応じて、装置が正確な測定を保証するために較正されてもよい。このような装置は、将来の利用およびアーカイブ目的のために、人に依存するデータを記憶することを可能にする。必要に応じて、足全体または足の一部に関する情報を記憶することができる。
【００１７】
レーザ走査は、足走査のための代替の方法である。レーザ走査において、対象に対する距離の決定、すなわち走査は、飛行時間技術を用いて行われてもよく、ここで、距離は、レーザビームの対象までの往復の飛行時間を測定することによって測定される。足などの小さな物体に対して、位相または干渉検出、三角測量およびマルチカメラなどの他の技術が用いられてもよい。このような技術において、調光の位相が、対象の形状を測定するために用いられてもよく、かつ／またはレーザ送信器と反射レーザ光を検出するカメラとの間の角度が用いられてもよい。レーザに基づく足走査において、撮像解像度は、典型的には１ｍｍのオーダである。０．５ｍｍの解像度を有する３Ｄ画像を提供する立体撮像に基づく足底スキャナが用いられてもよい。
【００１８】
図１ｂは、本発明の実施形態に従う、足の形状を読取るための機械的手段を備える足走査装置を示す。機械的足走査装置において、ピンマトリクス装置１４０が用いられてもよい。ピンマトリクス装置１４０において、規則的なマトリクス状または不規則なセッティングに配置される複数のピン１４２が、表面からの足１１０の距離を測定するために用いられる。ピン１４２は、ピンが足による圧力で柔らかくへこむようにばね負荷（図示せず）されてもよく、必要とされるときにピンを適所に係止して足の形状をピンマトリクスに保持するように係止機構（図示せず）を有してもよい。ピンマトリクスはまた、個々のピン位置を読取るためのセンサに接続され、または該センサを含んでもよく、これによって足形状のデジタル化を可能にして足の形状および寸法に関するデジタル情報を形成する。ピンマトリクスはまた、足表面が、各ピンが個々に作動されてその場所における表面の位置を測定するシリアル方式で走査されるように機能してもよい。必要に応じて、足全体または足の一部に関する情報を記憶することができ、これによってピンマトリクス全体またはピンマトリクスの一部だけが用いられてもよい。
【００１９】
図２ａおよび図２ｂは、本発明の実施形態に従う、足の形状を読取るための光学的手段を備える足走査装置の動作原理を示す。図１に関連して示されるように、足底表面２１０の形状は、部品および他の表面の寸法および形状の工業的測定に適している３Ｄ撮像技術で走査されてもよい。３Ｄ撮像は、調光または構造光での光源２３０による対象照明と、結果として生じる画像のカメラ２２０での記録とに基づく。走査方法において、表面に投影される正弦波縞模様の照明パターン２４０が用いられてもよい。縞模様画像は、デジタルスチールカメラおよび／またはビデオカメラで記録されてもよい。表面の３Ｄ輪郭は、カメラの視点から見える縞模様パターンの位相を変調する。これによって、黒２４２から白２４４に滑らかに変化する放出パターンは、より複雑な構造となる。この構造は、この変調によって生じる位相シフトを計算するために処理されてもよく、これによって、表面の３Ｄ形状２５０が測定可能である。光の変調が対象領域全体を証明するようにシフトされる多重走査が行われてもよい。精度を上昇させるために、異なる変調波長が用いられてもよい。結果として、図２ｂに輪郭２５５で示されるように、基平面からの物体の高さに関する情報が足底されてもよい。該方法は、必要に応じて、通常の白黒画像を生成してもよい。
【００２０】
足走査システムは、以下の仕様を有していてもよい。足形状は、４００ｍｍ×４００ｍｍのガラス板を通して、ガラス板の上面から０〜５０ｍｍ、０．５ｍｍ、０．１ｍｍまたは１．０ｍｍの精度、もしくは０．０１ｍｍ〜１ｃｍのいずれかの精度で、測定可能である。両足が同時に走査されてもよく、または一度に一方の足だけが走査されてもよく、走査は、数秒、数十秒または数百秒、もしくは数秒よりも短い時間かかってもよい。フットスキャナからの測定情報は、ＰＣ、携帯電話、携帯情報端末（ＰＤＡ）、ラップトップコンピュータ、ネットワーク内のコンピュータ、メインフレームコンピュータまたは画像処理用の他のコンピュータなどのコンピュータに収集される。コンピュータは、操作者用のユーザインターフェースを備えてもよく、ユーザインターフェースは、視覚ベース、触覚ベースまたは音声ベースであってもよい。スキャナシステムは、足分析に必要とされ得る前後から、顧客の足から足首まで撮影してもよい。足に加えてまたは足の代わりに、既に存在している中敷き、靴または型が走査されてもよい。これは、足の走査よりも容易であり得、かつ／または走査された中敷き、靴または型が足走査のための基準または対照として用いることができる。
【００２１】
図３は、本発明に従う加熱された中敷きまたは靴もしくは靴底を形成するためのピンマトリクス装置を示す。伝統的に、中敷きまたは靴底は、該中敷きまたは靴底、または該中敷きまたは靴底を製造するために用いられる型のいずれかのフライス加工によって作成されてきた。このような方法は、いくつかの加熱成形可能な材料に適していない。フライス加工によって一対の特注の中敷きを製造するのに、約１０分〜６０分もかかり、これは大量生産のためのこのようなシステムの使用を妨げ得る。本発明に従う実施形態において、ピンマトリクス３１０は、各ピン３２０を適切な位置に調整するように、足の形状および寸法に関する情報を用いて、足の形状を保持するように形成される。その後、熱成形可能な中敷きプレフォーム３３０が、製造ユニットの成形されたピンマトリクス上に配置される。最終的に、形成されたプレフォームは、空気を吹き付けたり、ピンまたは他の手段を通してプレフォームから熱を奪ったりすることによって、受動的にまたは積極的に冷却されてもよい。ピンマトリクスのピン間隔は、数ミリメートル、たとえば１ｍｍ、３ｍｍ、６ｍｍ、８〜１２ｍｍまたは１０〜２０ｍｍであってもよく、ピンに応じたものであってもよい。より小さなピン間隔は、製造プロセスの精度を向上させて足への良好な適合を達成することができ、より大きなピン間隔は、プロセスをより速くし、製造中のより容易な操作を促進することができる。シリコーンのような適切な材料から成る支持シートが、製造中、ピンマトリクスと中敷きプレフォームとの間に用いられてもよい。このような支持シートは、ピンからプレフォーム上の圧力をより均一に分散させることができる。ピンは、六角形、正方形、円形、用途に適した、ボール先端形状または他の形状などの異なる形状を有してもよい。
【００２２】
図４ａ、図４ｂおよび図４ｃは、本発明の実施形態に従う、加熱された中敷き、靴または靴底を形成するための二重ピンマトリクス装置を示す。自動中敷きまたは靴底製造システムは、ピンマトリクス４１０に基づき、該ピンマトリクスは、データベースから足の形状および寸法に関する情報を読込み、または該情報を装置で用いてピンマトリクスを形成することによって、人の足の形状に形成される。ピンマトリクスは、素早いセッティングおよびリセットのために、同時に解除または個別に解除することができるばね負荷自己係止ピン４３５から成っていてもよい。
【００２３】
たとえば６自由度のアームロボットが、人の足表面の形状にマトリクスを成形するように用いられてもよい。最適化された制御ソフトウェアに組み合わされた適切なロボットおよび工具選択が、いくつかの複雑な工具運動とともにマトリクスを設定することを可能にし、これによって、ピンを個別に手で操作する必要性を取除くことができる。ロボットには、ローラヘッドなどのマトリクスを形成するための工具が備えられてもよく、ここで、ロボットはピンの列上を１列づつ転がることができる。ロボットは、プロセスを加速するために、異なる大きさのローラを有してもよい。なぜなら、ほぼ同じ高さで所望のピン位置を有するピンマトリクスの複数の領域があってもよいからである。ローリングは、段階的になされてもよく、ここで、要求される形状に近づけるように複数列における第１の大まかなスイープがまず行われ、次いで、別のステップが正確なピン高さになるように１列づつ行われる。
【００２４】
図４ｂには、中敷きまたは靴底の製造のための二重ピンマトリクスが示され、ここで、図４ａの下側ピンマトリクスは、下側ピンマトリクスのピンに少なくとも部分的にかつ実質的に対応するピン４２５を有する上側ピンマトリクス４２０で補完される。上側ピンマトリクス４２０は、ピンマトリクス４１０と同様に形成されてもよい。あるいは、ピンマトリクス４２０は、まずピンマトリクス４１０を形成し、適切な位置にピン４１５を係止し、他のピンマトリクス４２０を、形成され係止されるマトリクス４１０に押圧することによって形成することによって形成されてもよい。ピンマトリクスが形成される順番は、ピンマトリクス４２０がまず形成されるように、逆であってもよい。このプロセスにおいて、いわゆるポジティブおよびネガティブピンマトリクスが、相互に対応し、中敷きプレフォームが、図４ｃに示されるように、形成のためにピンマトリクス４１０，４２０間に位置付けられるように形成される。このような構成において、個々の対向するピン４１５，４２５は、ピンマトリクスにわたって変化するその位置のために、中敷きまたは靴底プレフォームに形状を与える。あるいは、二重ピンマトリクスの他方側は、足情報を用いてその形状を受けてもよいが、該他方側は予め定める形状の履物に従って成形されてもよい。これは、特に、靴底を製造する際に有益であり得る。
【００２５】
少なくとも実質的に鏡像のポジティブおよびネガティブ型が、型間で加熱された中敷きブランクまたはプレフォームを押圧するために設置され使用されてもよい。冷却システムが、最終形状への熱成形可能な材料の素早い定置を可能にするシステムに一体化されてもよい。なお、スループット時間要求に応じて、同じロボットが多数の押圧ステーションを操作し、たとえば中敷きプレフォームをマトリクス上に配置し、押圧された中敷きを梱包するための製造ライン上で多数の作業を行ってもよい。自動押圧システムの仕様は、以下のとおりであってよい。ピンは６ｍｍ、３ｍｍ、１ｍｍ、または１０ｍｍ以上間隔をあけてよく、サイズ４８（ＥＵＲ）以上またはそれ以下の中敷きがピンマトリクスに適合してもよい。各ピンの高さは、０．５ｍｍの精度で調整可能であってもよい。ロボットでのマトリクスの設定時間は、１０秒未満であってよく、特注中敷き、靴底または靴の製造時間は１０秒未満であってよい。中敷きまたは靴底プレフォームは９０〜１００℃に加熱され、加圧温度は１４０〜１５０℃、圧力は約５バールであってよい。ピンマトリクスのピンは、ピンマトリクス上の異なる箇所で異なるピン密度となるように設けられてもよい。むしろ平坦（爪先領域など）である中敷きの部分に対しては、よりまばらなマトリクスが用いられてもよく、あまり平坦でない領域に対しては、より密集したマトリクスが用いられてもよい。
【００２６】
単一のピンマトリクスは、重力および真空ベース製造システムを用いて加熱されたプレフォームに形をつけるために用いられてもよい。製造速度を上昇させるために、両面プレスが用いられてもよい。両面プレスでは、製造されるべき中敷きまたは靴底の片面まは両面に圧縮材料スラブが用いられてもよい。このようなスラブ用材料は、要求されるスループットに関して、適切に選択される必要がある。２つの対向するピンマトリクスを有する二重ピンマトリクスを用いるとき、これらのピンマトリクスは、たとえば同じピン数およびピン位置であってよく、ピンマトリクスのよりコスト効率のよい製造を保証する。
【００２７】
形成された中敷きまたは靴底の冷却は、製造ユニットが設定されたスループット仕様を達成するように、加熱されたプレフォームを最終形状に十分に迅速に「固める」ために用いられてもよい。冷却空気をマトリクス／中敷きに吹き付けるなどの構成が使用可能であり、または液体による冷却やピンを介する熱伝導が使用可能である。他の冷却システムが、必要に応じて、型に実施されてもよい。
【００２８】
中敷きまたは靴底プレフォームを形成するために必要な力は、相対的に小さく、加熱時に中敷きが柔軟であるので、たとえばマトリクス全体に対して、１０または１００Ｎあるいは数百Ｎのオーダであってもよい。ピンヘッドの形状は、丸くなっていてもよく、あるいは正方形または六角形などの他の形状を有してもよい。ピンヘッドは、ピンステムよりも大きな直径であってもよく、あるいはピンステムよりも小さな直径であってもよい。窪みを残すピンの中敷きへの影響を緩和するために、弾性材料から成るシート／膜がピンマトリクスの前面に用いられてもよい（たとえばシリコーンベース）。これらの種類の一体化材料が用いられる場合、追加のおよび／または代替の冷却装置が必要とされてもよい。
【００２９】
図５は、本発明の実施形態に従う中敷き製造システムのブロック図を示す。上述のように、足の形状を測定するためのスキャナまたはリーダモジュール５１０がある。スキャナまたはリーダ５１０は、走査シーケンスを実施するためのコンピュータプログラムコード（ソフトウェア）を含んでよく、または走査シーケンスは外部から制御されてもよい。スキャナ５１０は、データ接続を経由してコンピュータ５４０に接続され、走査された足形状および寸法をコンピュータ５４０上のデータベースに記憶してもよい。コンピュータはローカルコンピュータであってもよく、またはネットワーク内のリモートコンピュータであってもよい。スキャナ／リーダおよび／またはコンピュータに関連してユーザインタフェースモジュール（図示せず）があってもよく、該ユーザインタフェースモジュールは、他の足分析ソフトウェアに統合されてもよい。また、足のサイズを測定し、その幅（狭い、中間、または広い）および回内角（アンダー、ニュートラル、またはオーバー）を分類する自動診断ツールがあってもよい。
【００３０】
該システムにおいて、異なるサイズの温かい中敷きまたは靴底プレフォームの適切な供給を伴う加熱ステーション５２０があってもよい。加熱は、オーブン状の装置内で、または赤外線ランプもしくは他の適切な装置によってなされてよい。中敷きまたは靴底を形成するためのプレスおよびピンマトリクス５３０は、加熱ステーションに関連していてもよく、または別体であってもよい。プレス５３０はまた、プレス内で中敷きプレフォームを加熱する加熱ユニットを含んでもよい。
【００３１】
図６は、本発明の実施形態に中敷きまたは靴底製造方法のフローチャートを示す。ステップ６１０では、足の形状および寸法に関する足情報が、たとえば上述のスキャナを用いて測定され、または以前に走査がなされたコンピュータのメモリにこの情報を形成することだけによってなされる。ステップ６２０では、上述のように、少なくとも部分的に該足情報に基づく、少なくとも１つの、少なくとも部分的なピンマトリクスが形成される。次いで、ステップ６３０では、中敷きまたは靴底プレフォームが、中敷きプレフォームを成形するために、少なくとも１つの、少なくとも部分的なピンマトリクス上に配置される。最後に、ステップ６４０では、足情報に基づいて、中敷きプレフォームから形成される。同様のステップが靴底または靴全体を製造するために用いられてもよい。
【００３２】
図７は、本発明の実施形態に従う中敷きまたは靴底製造のための方法のフローチャートを示す。ステップ７１０では、足の形状および寸法に関する足情報が、たとえば上述のスキャナを用いて測定されてもよい。次いで、ステップ７２０では、この情報が中敷きの製造を制御するために用いられるように、この情報をコンピュータのメモリに記憶されてもよい。足情報は、コンピュータにおいて、足情報のデータベースに電子的に記憶されてもよい。ステップ７３０では、足の形状および寸法に関する情報が、製造プロセスで使用するために検索されてもよい。この検索は、情報の形成後、直ちに行われてもよく、またはかなり後、たとえば人が新しい中敷きを必要とする別のときに行われてもよい。ステップ７４０では、少なくとも部分的に足情報に基づく少なくとも１つの、少なくとも部分的なポジティブピンマトリクスが、中敷きを作成するために形成されてもよい。ピンマトリクスは、たとえばピンマトリクスのピン上を転がるローラヘッドを有するようなロボットを用いて形成されてもよい。ステップ７５０では、少なくとも部分的に足情報に基づく少なくとも１つの、少なくとも部分的なネガティブピンマトリクスが形成され、ネガティブピンマトリクスはステップ７４０のポジティブピンマトリクスに実質的に対応する。これは、上述のようにピンマトリクスを別個に設定することによって、または第２のピンマトリクスを第１のピンマトリクスに対して押圧することによって第２のピンマトリクスを設定することによって達成可能である。ステップ７６０では、中敷きまたは靴底プレフォームは、少なくとも１つの、少なくとも部分的なポジティブピンマトリクスと少なくとも１つの、少なくとも部分的なネガティブピンマトリクスとの間に位置付けられ、ステップ７７０で押圧によって中敷きまたは靴底プレフォームを成形してもよい。プレフォームの位置は、たとえばロボットを用いて正確に設定されてもよい。同様のステップが靴底または靴全体を製造するために用いられてもよい。
【００３３】
図８は、本発明の実施形態に従って製造された中敷きまたは靴底を示す。プレフォーム（ブランク）中敷きは、熱可塑性材料から成り、対象の人の足の少なくとも踵の下から足底弓の下まで延びる、少なくとも１つの層を有する。有利には、ともに接続された２つ、３つまたは４つの材料層が、快適さのためにプレフォーム中敷きに用いられる。プレフォーム中敷きの上部層８１０は足に抗して配置され、下部層８４０は、靴底に抗して配置される。これら２つの層の材料は、中敷きに使用される一般的な材料から選択可能である。たとえば、下部層は、担体としての不織ポリエステルと、押出しコアとしてのアイオノマ樹脂−エチル酢酸ビニル混合物と、接着剤としてのＥＶＡホットメルトとを含むＲｈｅｌｕｆｌｅｘ（Ｒｈｅｎｏｆｌｅｘ  ＧｍｂＨ  Ｌｔｄの商標）などの既知の材料から構成されてもよい。
【００３４】
中敷きの中間層８３０（３層の場合）は、熱可塑性材料から成る。使用される熱可塑性材料は、既知の熱可塑性材料の群から選択可能である。熱可塑性材料の重要な特性は、温度、いわゆるガラス転移温度であり、そこで熱可塑性材料は塑性になる一方で、中敷きを成形した後温度が下がると固体状に戻る。ガラス転移温度は、典型的には、ポリマの融点よりも低い。したがって、プレフォームを成形するための１つの良好な温度範囲は、ガラス転移温度と融点との間であってよい。熱可塑性材料が塑性になる可能性のある温度は、好ましくは、およそ９５℃以下４５℃以上である。有利には、この範囲は５０℃〜８５℃である。この温度は、１５０℃程度であってもよい。好ましい温度範囲内で塑性になるまたは塑性である適切な材料は、たとえば熱可塑性ポリエステルＡ−ＰＥＴ（非晶質ポリエステルテレフタレート）およびＰＥＴＧ（コポリエステルである、グリコール変性ポリエチレンテレフタレート）、または実質的に同様の特性を有するものである。また、たとえばＡＢＳ（アクリロニトリル−ブタジエン−スチレン）、ＰＶＣ（ポリ塩化ビニル）などが用いられてもよい。第１の中間層８３０に加えて、他の中間層８２０、または３以上の中間層があってもよい。
【００３５】
熱可塑性層の厚みは、該層が硬質状態にあるとき、顧客の足に合理的な支持を提供するように選択可能である。たとえば足底弓領域（薄い）よりも爪先領域（厚い）の下でより柔軟性が求められる場合、厚みは該層を通して変化してもよい。熱可塑性材料に対して要求される他の特性は、融点下で硬質であるということを必要とする。暖められたとき、材料は柔軟になり、したがって一様な特性（たとえば一様な押圧力）を有する型が用いられてもよく、またはたとえば変化する厚みを達成するために一様でない特性を有する型が用いられてもよい。
【００３６】
図８ａに示される実施形態を参照すると、熱可塑性材料から成る中間層８３０は、中敷きの全領域を横方向に覆ってもよい。代替の実施形態では、該層８３０は、中敷きの一部だけを横方向に覆う。この場合、熱可塑性材料は、縦方向に少なくとも踵の下から足底弓の下まで延び、横方向に、有利には、中敷きの幅のほぼ全体に延びている必要がある。１つの実現可能な実施として、熱可塑性層は、踵の下から足の中足指節関節まで延びて、横足弓を支持するように設計される。また、中敷きが横足弓を最適な位置に持ち上げるように成形されるとき、プレカットパッドが横足弓の下に配置されてもよい。しかしながら、中敷きが靴内に配置されるときに微調整が必要とされる場合、硬質の熱可塑性材料なしで中敷きの縁である範囲を保持することが有利である。また、中敷きの爪先領域はウォーキングまたはランニング中の足の自然な動きを可能にするために硬質の熱可塑性材料がないままであってもよい。図８に示されるような中敷きを製造する構成要素は、靴または靴底を製造するためにも用いられてもよい。
【００３７】
本発明に従って製造された中敷きまたは靴は、現在の「特注」中敷きまたは靴よりも人の足へのより良い適合を示すことができる。なぜなら、現在の中敷きまたは靴は、しばしば足に完全にカスタマイズされておらず、既存のカタログから最も合うものとして選択されているからである。本発明に従う中敷きまたは靴は、マニュアルの説明のように、爪先を上に向けた位置で足を走査することによって、可能性のある回内の問題を矯正するように成形されていてもよい。これによって、人がその足の形状に実質的に完全にカスタマイズされた矯正用中敷きを得ることを可能にする。中敷きまたは靴には、ピンマトリクスを用いた製造方法による意図的なまたは意図しない痕が現れてもよい。
【００３８】
上述の技術は靴または靴底を製造するために用いられてもよいことに注目する必要がある。足は、中敷きを製造するのと同様にして走査されてもよく、靴または靴底を作成するための製造方法および装置は、中敷きを作成するための方法および装置と実質的に同様であってもよい。
【００３９】
図９は、既製の中敷きまたは履物における良好な支持を達成するために足を自然な位置で走査するための装置および配置を示す。足９３０の裏を走査するためのフットスキャナ９１０は、ウェッジ９２０を含んでよい。ウェッジ９２０は、たとえばウェッジが爪先９３２の下に正しく位置付けられるように、フットスキャナに取付けられるレールに沿って移動可能であってもよい。爪先９３２の下にウェッジ９２０を位置付けることは、爪先を上に傾斜させ、いわゆるウインドラス効果を生じさせることができる。ウインドラス効果は、足自体の生物力学を用いて、踵骨（踵）、内側足弓および足全体を正しい位置に案内することを可能にし得る。第一中足指節関節（足親指）の背屈は、足底腱膜を引張り、第一中指骨頭と踵骨との間の距離を短くしてもよい。したがって、足の自然な機構（ウインドラス効果）は、中敷きまたは履物を形成するために足を正しい位置で走査するために用いられてもよい。
【００４０】
本発明に従う実施形態において、有利には、靴底は、靴底材料の上に位置する、または一体化、たとえば内部に埋め込まれる熱可塑性層を含む少なくともツーピース構造である。熱可塑性層を除く１以上の靴底層は、たとえばＥＶＡ（エチル酢酸ビニル）または他の従来技術の材料を含んでもよく、たとえば上述のＥＶＡは、異なる硬度で利用可能である。２以上の層がある場合、熱可塑性層は靴底全体よりも横方向に小さくすることができる。熱可塑性層が、中敷きと同様に、足の少なくとも踵の下から足底弓の下まで延びることが最も重要である。熱可塑性材料は、中敷きと同様に選択可能である。靴底の少なくとも外表面は、耐摩耗性および良好な摩擦特性を有する材料から成ることが有利である。随意に、たとえば、感熱性であってもよい、粘弾性発泡体または他の材料が靴の内部に使用可能であり、これによって、単なる中敷きに加えて、靴内部を再成形し、さらなる快適性／支持を提供する。本実施形態によれば、足および足首の骨構造をしっかりと支持する、非常に快適な個人用の靴を保証することができる。このことは、人が、たとえば糖尿病またはリウマチに罹患している場合に重要であり、靴は足に摩擦または異常な圧力を生じさせない。
【００４１】
本発明の様々な実施形態が、メモリ内にあり関連する装置に本発明を実行させるコンピュータプログラムコードを用いて実施可能である。たとえば製造装置および走査装置は、データを取扱い、受信し送信するための回路および電子部品と、メモリ内のコンピュータプログラムコードと、コンピュータプログラムコードを実行しているときに、該装置に本実施形態の特徴を実行させる処理装置とを含んでよい。さらに、リモートコンピュータは、データを取扱い、受信し送信するための回路および電子部品と、メモリ内のコンピュータプログラムコードと、コンピュータプログラムコードを実行しているときに、リモートコンピュータに本実施形態の特徴を実行させる処理装置とを含んでよい。
【００４２】
本発明は、上述の実施形態だけに限定されず、添付の特許請求の範囲内で修正可能であることは明らかである。
【図１ａ】
2013509927.tif 000003
【図１ｂ】
2013509927.tif 000004
【図２ａ】
2013509927.tif 000005
【図２ｂ】
2013509927.tif 000006
【図３】
2013509927.tif 000007
【図４ａ】
2013509927.tif 000008
【図４ｂ】
2013509927.tif 000009
【図４ｃ】
2013509927.tif 000010
【図５】
2013509927.tif 000011
【図６】
2013509927.tif 000012
【図７】
2013509927.tif 000013
【図８ａ】
2013509927.tif 000014
【図８ｂ】
2013509927.tif 000015
【図９ａ】
2013509927.tif 000016
【図９ｂ】
2013509927.tif 000017
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
装置で中敷きを製造する方法であって、
足の形状および寸法に関する足情報を測定し、
前記足情報に基づいて中敷きプレフォームから中敷きを形成することを含む方法において、
前記足情報はデジタル形式で測定され、
少なくとも部分的に前記足情報に基づいて、少なくとも１つの、少なくとも部分的なピンマトリクスを形成し、
中敷きプレフォームを成形するために、前記少なくとも１つの、少なくとも部分的なピンマトリクス上に、中敷きプレフォームを位置付けることをさらに含むことを特徴とする方法。
【請求項２】
前記中敷きプレフォームは、熱可塑性材料を含み、
前記中敷きプレフォームを加熱することをさらに含むことを特徴とする、請求項１に記載の方法。
【請求項３】
前記足情報は、走査システムを用いて測定されることを特徴とする、請求項１または２に記載の方法。
【請求項４】
前記足情報は、ピンマトリクスを用いて測定されることを特徴とする、請求項１または２に記載の方法。
【請求項５】
少なくとも部分的に前記足情報に基づいて、少なくとも１つの、少なくとも部分的なポジティブピンマトリクスを形成し、
少なくとも部分的に前記足情報に基づいて、少なくとも１つの、少なくとも部分的なネガティブピンマトリクスを形成し、該少なくとも１つの、少なくとも部分的なネガティブピンマトリクスは前記少なくとも１つの、少なくとも部分的なポジティブピンマトリクスに実質的に対応し、
中敷きプレフォームを成形するために、中敷きプレフォームを、前記少なくとも１つの、少なくとも部分的なポジティブピンマトリクスと前記少なくとも１つの、少なくとも部分的なネガティブピンマトリクスとの間に位置付けることをさらに含むことを特徴とする、請求項１〜４のいずれか１項に記載の方法。
【請求項６】
前記足情報を足情報のデータベースに電子的に記憶し、または
中敷きを成形するために、前記足情報を、前記足情報のデータベースから電子的に検索することをさらに含むことを特徴とする、請求項１〜５のいずれか１項に記載の方法。
【請求項７】
前記少なくとも１つの、少なくとも部分的なピンマトリクスのピン上を転がるローラヘッドを含むロボットを用いて、前記少なくとも１つの、少なくとも部分的なピンマトリクスを形成することをさらに含むことを特徴とする、請求項１〜６のいずれか１項に記載の方法。
【請求項８】
中敷きプレフォームに形を付与するように構成されてなる第１のピンマトリクスを含み、前記第１のピンマトリクスは少なくとも部分的にデジタル足情報に基づくことを特徴とする中敷きを製造するための装置。
【請求項９】
前記第１のピンマトリクスに実質的に対応する第２のピンマトリクスをさらに含み、該第２のピンマトリクスは中敷きプレフォームに形を付与するように構成されてなり、
前記第１のピンマトリクスと前記第２のピンマトリクスとの間で中敷きを押圧することによって、中敷きプレフォームに形を付与するように構成されてなることを特徴とする、請求項８に記載の装置。
【請求項１０】
足の形状に関する情報を受信するためのモジュールと、前記足の形状に関する情報に従って、前記第１のピンマトリクスおよび第２のピンマトリクスの少なくとも一方を、前記第１のピンマトリクスおよび第２のピンマトリクスの少なくとも一方のピンを動かすことによって前記中敷きプレフォームに形を付与するように構成するためのモジュールとをさらに含むことを特徴とする、請求項９に記載の装置。
【請求項１１】
足の形状に関する情報を形成するためのモジュールと、前記足の形状に関する情報に従って、前記第１のピンマトリクスおよび第２のピンマトリクスの少なくとも一方を、前記第１のピンマトリクスおよび第２のピンマトリクスの少なくとも一方のピンを動かすことによって前記中敷きプレフォームに形を付与するように構成するためのモジュールとをさらに含むことを特徴とする、請求項９に記載の装置。
【請求項１２】
少なくとも前記第１のピンマトリクスは、前記ピンマトリクスのピンを動かして該ピンを適切な位置に固定することによって、前記足の形状に関する情報に従う形状を形成するように構成されてなることを特徴とする、請求項１０または１１に記載の装置。
【請求項１３】
足の形状に関する情報を記憶するメモリと、前記メモリ内の前記足の形状に関する情報に従って前記第１のピンマトリクスを適合させるための処理装置とをさらに含むことを特徴とする、請求項８〜１２のいずれか１項に記載の装置。
【請求項１４】
足の形状に関する情報を測定するためのスキャナをさらに含むことを特徴とする、請求項８〜１３のいずれか１項に記載の装置。
【請求項１５】
前記中敷きプレフォームを加熱する加熱ステーションをさらに含むことを特徴とする、請求項８〜１４のいずれか１項に記載の装置。
【請求項１６】
処理装置と、コンピュータプログラムコードを含むメモリとを含むシステムであって、前記メモリおよび前記コンピュータプログラムコードは、前記処理装置によって、該システムに、少なくとも、
足の形状および寸法に関する足情報をデジタル形式で測定させ、
前記足情報に基づいて、中敷きプレフォームから中敷きを形成させ、
少なくとも部分的に前記足情報に基づいて、少なくとも１つの、少なくとも部分的なピンマトリクスを形成させ、
中敷きプレフォームを成形するために、前記少なくとも１つの、少なくとも部分的なピンマトリクス上に中敷きプレフォームを位置づけさせるように構成されてなることを特徴とするシステム。
【請求項１７】
前記処理装置によって、該システムに、少なくとも、
走査システムを用いて前記足情報を測定させるコンピュータプログラムコードをさらに含むことを特徴とする、請求項１６に記載のシステム。
【請求項１８】
前記処理装置によって、該システムに、少なくとも、
少なくとも部分的に前記足情報に基づいて、少なくとも１つの、少なくとも部分的なポジティブピンマトリクスを形成させ、
少なくとも部分的に前記足情報に基づいて、少なくとも１つの、少なくとも部分的なネガティブピンマトリクスを形成させ、前記少なくとも１つの、少なくとも部分的なネガティブピンマトリクスは、前記少なくとも１つの、少なくとも部分的なポジティブピンマトリクスに実質的に対応し、
中敷きプレフォームを成形するために、前記少なくとも１つの、少なくとも部分的なポジティブピンマトリクスと前記少なくとも１つの、少なくとも部分的なネガティブピンマトリクスとの間に中敷きプレフォームを位置づけさせるコンピュータプログラムコードをさらに含むことを特徴とする、請求項１７に記載のシステム。
【請求項１９】
前記処理装置によって、該システムに、少なくとも、
前記足情報を、足情報のデータベースに電子的に記憶させ、または
前記中敷きを成形するために、足情報のデータベースから前記足情報を電子的に検索させるコンピュータプログラムコードをさらに含むことを特徴とする、請求項１６〜１８のいずれか１項に記載のシステム。
【請求項２０】
前記処理装置によって、該システムに、少なくとも、
前記少なくとも１つの、少なくとも部分的なピンマトリクスのピン上を転がるローラヘッドを含むロボットを用いて、前記少なくとも１つの、少なくとも部分的なピンマトリクスを形成させるコンピュータプログラムコードをさらに含むことを特徴とする、請求項１６〜１９のいずれか１項に記載のシステム。
【請求項２１】
請求項１〜７のいずれか１項に記載の方法によって製造された中敷き。
【請求項２２】
請求項１〜７のいずれか１項に記載の方法によって製造された中敷きを含む靴。
【請求項２３】
請求項８〜１５に記載の要素を含む靴を製造するための装置。
【国際調査報告】
2013509927.tif 000018
2013509927.tif 000019
2013509927.tif 000020